(57)【要約】【課題】  部品点数の削減による構成の簡略化、長寿命化、特性の安定化を図ることが可能なスイッチ用接点バネを提供すること。【解決手段】  基板上に設置され板状をなす接点バネ本体と、接点バネ本体の外周部にクリックアクションが得られるようにドーム状に設けられた第１ドーム部と、接点バネ本体の第１ドーム部の内周側に同心であってクリックアクションが得られるようにドーム状に設けられた第２ドーム部と、接点バネ本体に設けられた第１接点と、第２ドーム部に設けられた第２接点とを具備し、接点バネ本体を押圧することにより、第１ドーム部が変形して第１接点が基板側のパターンに当接してある種の電気的接続状態を構成し、さらに押圧することにより第２ドーム部が変形して第２接点も基板の別のパターンに当接して別の電気的接続状態を得るようにしたもの。  【選択図】  図１
2008097844.tif 000002
【特許請求の範囲】
【請求項１】
基板上に設置され板状をなす接点バネ本体と、上記接点バネ本体の外周部にクリックアクションが得られるようにドーム状に設けられた第１ドーム部と、上記接点バネ本体の上記第１ドーム部の内周側に同心であってクリックアクションが得られるようにドーム状に設けられた第２ドーム部と、上記接点バネ本体に設けられた第１接点と、上記第２ドーム部に設けられた第２接点と、を
具備し、
上記接点バネ本体を押圧することにより、まず、第１ドーム部が変形して上記第１接点が上記基板側のパターンに当接してある種の電気的接続状態を構成し、さらに押圧することにより上記第２ドーム部が変形して上記第２接点も上記基板側の別のパターンに当接して別の電気的接続状態を得るようにしたことを特徴とするスイッチ用接点バネ。
【請求項２】
請求項１記載のスイッチ用接点バネにおいて、
上記第１接点は上記第１ドーム部と第２ドーム部の境界部に設けられ上記基板側に突出・形成された複数の突起であることを特徴とするスイッチ用接点バネ。
【請求項３】
請求項２記載のスイッチ接点バネにおいて、
上記接点バネ本体の外周部は１８０°の方向に対向する二箇所が切り欠かれていて夫々開口部が設けられていることを特徴とするスイッチ用接点バネ。
【発明の詳細な説明】
【技術分野】
【０００１】
本発明は、二段階の押圧操作によって二種類のスイッチ回路を順次起動させるように動作する二段動作スイッチに使用されるスイッチ用接点バネに係り、特に、一枚のバネ部材によって所望の二段動作を実現することができるように工夫したものに関する。
【背景技術】
【０００２】
この種の二段動作スイッチの構成を開示するものとしては、例えば、特許文献１、特許文献２がある。
【０００３】
【特許文献１】特開２００２−１６３９５２号公報
【特許文献２】特開２００５−３４０１５４号公報
【０００４】
上記特許文献１に記載されている二段動作スイッチは、図１０に示すような構成になっている。まず、基板１０１があり、この基板１０１上には、第１固定接点１０３、１０５が設置されているとともに第２固定接点１０７が設置されている。上記基板１０１上にはリング状の絶縁部材１０９を介して接点カバー部材１１１が設置されているとともに該接点カバー部材１１１の内側面には可動接点部材１１３が設置されている。上記可動接点部材１１３の外周部には可動接点１１３ａ、１１３ｂが設けられており、又、中心位置には可動接点１１３ｃが設けられている。
【０００５】
上記構成によると、まず、接点カバー部材１１１を介して上方より押圧することにより、可動接点１１３ａ、１１３ｂが固定接点１０３、１０５に当接する。それによって、ある種の電気的接続関係が得られる。これが一段目の動作である。次いで、接点カバー部材１１１を介してさらに押圧する。それによって、可動接点１１３ｃが固定接点１０７に当接することになる。つまり、可動接点１１３ａ、１１３ｂが固定接点１０３、１０５に当接しているとともに可動接点１１３ｃが固定接点１０７に当接した状態になる。それによって、別のある種の電気的接続関係を得ることができる。これが二段目の動作である。
【発明の開示】
【発明が解決しようとする課題】
【０００６】
上記従来の構成によると次のような問題があった。すなわち、従来の二段動作スイッチの場合には、少なくとも二つの板状部材、図１０に示す構成の場合は、接点カバー部材１１１と可動接点部材１１３を重合・配置して所望の二段動作を実現するように構成されており、そのため部品点数が多くて構成が複雑であるという問題があった。又、コスト的にも好ましいものではなかった。
又、上側に配置する板バネ、図１０に示す構成の場合は、接点カバー部材１１１は、下側に配置された板バネ、図１０に示す構成の場合には、可動接点部材１１３に対してより高い位置に配置されることになり、そのためそのストロークも長いものとなってしまい、短寿命化してしまうという問題があった。
さらに、作動荷重が異なる二種類の接点バネ、すなわち、接点カバー部材１１１と可動接点部材１１３を上下に重合・配置させて、タイミングをとりながら二段階でスイッチ動作を行わせなければならず、そのため、接点カバー部材１１１と可動接点部材１１３の位置関係のバラツキによって二段動作の特性が大きく変動してしまうという問題があった。
【０００７】
本発明はこのような点に基づいてなされたものでその目的とするところは、部品点数の削減による構成の簡略化、長寿命化、特性の安定化を図ることが可能なスイッチ用接点バネを提供することにある。
【課題を解決するための手段】
【０００８】
上記目的を達成するべく本願発明の請求項１によるスイッチ用接点バネは、基板上に設置され板状をなす接点バネ本体と、上記接点バネ本体の外周部にクリックアクションが得られるようにドーム状に設けられた第１ドーム部と、上記接点バネ本体の上記第１ドーム部の内周側に同心であってクリックアクションが得られるようにドーム状に設けられた第２ドーム部と、上記接点バネ本体に設けられた第１接点と、上記第２ドーム部に設けられた第２接点と、を
具備し、上記接点バネ本体を押圧することにより、まず、第１ドーム部が変形して上記第１接点が上記基板側のパターンに当接してある種の電気的接続状態を構成し、さらに押圧することにより上記第２ドーム部が変形して上記第２接点も上記基板の別のパターンに当接して別の電気的接続状態を得るようにしたことを特徴とするものである。
又、請求項２によるスイッチ用接点バネは、請求項１記載のスイッチ用接点バネにおいて、上記第１接点は上記第１ドーム部と第２ドーム部の境界部に設けられ上記基板側に突出・形成された複数の突起であることを特徴とするものである。
又、請求項３によるスイッチ用接点バネは、請求項２記載のスイッチ接点バネにおいて、上記接点バネ本体の外周部には１８０°の方向に対向する二箇所が切り欠かれていて開口部が設けられていることを特徴とするものである。
【発明の効果】
【０００９】
以上述べたように本発明によるスイッチ用接点バネによると、基板上に設置され板状をなす接点バネ本体と、上記接点バネ本体の外周部にクリックアクションが得られるようにドーム状に設けられた第１ドーム部と、上記接点バネ本体の上記第１ドーム部の内周側に同心であってクリックアクションが得られるようにドーム状に設けられた第２ドーム部と、上記接点バネ本体に設けられた第１接点と、上記第２ドーム部に設けられた第２接点と、を
具備し、上記接点バネ本体を押圧することにより、まず、第１ドーム部が変形して上記第１接点が上記基板側のパターンに当接してある種の電気的接続状態を構成し、さらに押圧することにより上記第２ドーム部が変形して上記第２接点も上記基板の別のパターンに当接して別の電気的接続状態を得るように構成されているので、まず、従来のように二つの板状部材を重合・配置して所望の二段動作を実現する構成ではなく、一枚の板材によって所望の二段動作を実現するように構成しているので、部品点数を減少させて構成の簡略化を図ることができる。それによって、製造コストの低減を図ることができる。
又、従来は上側に配置する板バネが下側に配置された板バネに対してより高い位置に配置されることになり、そのため、そのストロークも長いものとなってしまい、それによって、短寿命化してしまうという問題があったが、上記したように、本発明の場合には、一枚の板材によって構成しているので、そのような問題が生ずることはない。
又、従来のように、作動荷重が異なる二種類の接点バネを上下に重合・配置させて、タイミングをとりながら二段階でスイッチ動作を行わせる場合には、それら二種類の接点バネの位置関係のバラツキによって二段動作の特性が大きく変動してしまうという問題があったが、本発明の場合には、一枚の板材によって構成しているので、そのような問題が生ずることはない。
又、請求項２によるスイッチ用接点バネは、請求項１記載のスイッチ用接点バネにおいて、上記第１接点は上記第１ドーム部と第２ドーム部の境界部に設けられ上記基板側に突出・形成された複数の突起であるので、動作時にスイッチ用接点バネ本体と基板との間に隙間が形成され、その隙間を介して基板上においてパターンの引出が可能になる。それによって、片面タイプの基板の使用が可能になる。
又、請求項３によるスイッチ用接点バネは、請求項２記載のスイッチ接点バネにおいて、上記接点バネ本体の外周部には１８０°の方向に対向する二箇所が切り欠かれていて開口部が設けられているので、この場合も、上記開口部を介して基板上においてパターンの引出が可能になる。それによって、片面タイプの基板の使用が可能になる。特に、上記突起の構成との組合せが効果的である。
【発明を実施するための最良の形態】
【００１０】
以下、図１乃至図9を参照して本発明の一実施の形態を説明する。図１に示すように、本実施の形態によるスイッチ用接点バネ１は一枚の板材から構成されている。まず、スイッチ用接点バネ本体３があり、このスイッチ用接点バネ本体３の外周部には第１ドーム部５が設けられている。この第１ドーム部５は文字通りドーム状に形成されていて、図１（ｂ）に示すように、図中上方に膨出・形成された状態になっている。
【００１１】
又、上記スイッチ用接点バネ本体３の上記第１ドーム部５の内周側の中心部には第２ドーム部７が設けられている。この第２ドーム部7も文字通りドーム状に形成されていて、上記第１ドーム部５に対して図中さらに上方に膨らんだ状態で膨出・形成されている。
【００１２】
上記第１ドーム部５と第２ドーム部７との境界部であって内側面には第１接点としての複数個(この実施の形態の場合には４個)の突起９が突出・形成されている。又、上記第２ドーム部７の内周面であって中心位置には第２接点１１が突出・形成されている。
尚、図１（ａ）においては、上記突起９の表側の面が凹んだ状態で図示されているが、これは上記突起９を形成する過程で形成されたものである。
又、上記第２接点１１の表側は突起状に形成されており、これは、ある種の位置決めのときに使用するものである。
【００１３】
一方、上記スイッチ用接点バネ１の図中下側にはプリント基板２１が設置されていて、このプリント基板２１上には第１銅箔パターン２３、２５、第２銅箔パターン２７、第３銅箔パターン２９が夫々設けられている。そして、既に説明したスイッチ用接点バネ本体３の第１ドーム部５の外周部は上記第１銅箔パターン２３、２５に常接されている。又、第１接点としての４個の突起９が第２銅箔パターン２７に対して選択的に当接されることになる。同様に、第２接点１１が上記第３銅箔パターン２９に対して選択的に当接されることになる。
【００１４】
上記スイッチ用接点バネ本体３の第１ドーム部５の外周部であって１８０°の方向に対向する二箇所は切り欠かれていて、開口部３１、３３となっている。このような開口部３１、３３を設けるとともに、第１接点を既に説明した突起９によって構成することにより、スイッチ用接点バネ本体３とプリント基板２１との間に動作時においても隙間が形成されることになり、それによって、第２銅箔パターン２７、第３銅箔パターン２９をスイッチ用接点バネ１の外側にスイッチ用接点バネ本体３に対して非接触の状態で引き出すことを可能にしているものである。
因みに、上記のような構成を採用していない場合には、上記第２銅箔パターン２７、第３銅箔パターン２９をプリント基板２１の裏面側に引き出して両面タイプのプリント基板としなければならない。
【００１５】
以上の構成を基にその作用を説明する。
まず、非押圧時から説明する。この場合には、図１乃至図３に示すような状態にある。すなわち、第１接点としての４個の突起９は第２銅箔パターン２７に対して離間しており、同様に、第２接点１１も第３銅箔パターン２９に対して離間した状態にある。その結果、回路的には図３に示すような状態にあり、電気的接続関係は何等構成されていないものである。
【００１６】
次に、一段目の動作について説明する。この場合には図４乃至図６に示すような状態になる。まず、押圧操作によって第１ドーム部５が変形し、第１接点としての４個の突起９が第２銅箔パターン２７に当接した状態となる。その結果、図６に示すように、第１銅箔パターン２３側と第２銅箔パターン２７とが電気的に接続された状態となる。
【００１７】
次に、二段目の動作について説明する。この場合には図７乃至図９に示すような状態になる。まず、上記一段目の押圧動作に引き続いてさらに押圧操作することによって第２ドーム部７が変形し、第２接点１１が第３銅箔パターン２９に当接した状態となる。その結果、図９に示すように、第１銅箔パターン２３側と第２銅箔パターン２７とが電気的に接続されるとともに第１銅箔パターン２３側と第３銅箔パターン２９も電気的に接続された状態となる。
【００１８】
以上本実施の形態によると次のような効果を奏することができる。
まず、従来のように二つの板状部材を重合・配置して所望の二段動作を実現する構成ではなく、一枚の板材、すなわち、スイッチ用接点バネ本体３のみによって所望の二段動作を実現するように構成しているので、部品点数を減少させて構成の簡略化を図ることができる。それによって、製造コストの低減を図ることができる。
又、従来は上側に配置する板バネが下側に配置された板バネに対してより高い位置に配置されることになり、そのため、そのストロークも長いものとなってしまって短寿命化してしまうという問題があったが、上記したように、本実施の形態の場合には、一枚の板材、すなわち、スイッチ用接点バネ本体３のみによって構成しているので、そのような問題が生ずることはない。
又、従来のように、作動荷重が異なる二種類の接点バネを上下に重合・配置させて、タイミングをとりながら二段階でスイッチ動作を行わせる場合には、それらに種類の接点バネの位置関係のバラツキによって二段動作の特性が大きく変動してしまうという問題があったが、本実施の形態の場合には、一枚の板材、すなわち、スイッチ用接点バネ本体３のみによって構成しているので、そのような問題が生ずることはない。
又、本実施の形態の場合には、第１接点を突起９により構成し、且つ、スイッチ用接点バネ本体３の第１ドーム部５の外周部であって１８０°の方向に対向する二箇所を切り欠いて開口部３１、３３としているので、第２銅箔パターン２７と第３銅箔パターン２９を、プリント基板２１の表側面を介して、スイッチ用接点バネ本体３に対して非接触の状態で引き出すことができ、それによって、片面タイプのプリント基板２１で事足りることになる。よって、構成も簡略化されるとともに製造コストの低減を図ることができる。
【００１９】
尚、本発明は前記一実施の形態に限定されるものではない。
例えば、スイッチ用接点バネ本体３の形状については図示したものに限定されず、様々な形状が考えられる。
又、第１接点としての突起９の個数、位置は図示したものに限定されない。
又、スイッチ用接点バネの用途についてはこれを特に限定するものではない。
【産業上の利用可能性】
【００２０】
本発明は、二段階の押圧操作によって二種類のスイッチ回路を順次起動させるように動作する二段動作スイッチに使用されるスイッチ用接点バネに係り、特に、一枚のバネ部材によって所望の二段動作を実現することができるように工夫したものに関し、例えば、携帯電話等の狭隘なスペース内に設置・使用される二段動作スイッチ用の接点バネとして好適である。
【図面の簡単な説明】
【００２１】
【図１】本発明の一実施の形態を示す図で、図１（ａ）は非動作時におけるスイッチ用接点バネの構成を示す平面図、図１（ｂ）は図１（ａ）のｂ−ｂ断面図である。
【図２】本発明の一実施の形態を示す図で、図１（ｂ）のＩＩ部を拡大して示す断面図である。
【図３】本発明の一実施の形態を示す図で、非動作時の電気的接続状態を模式的に示す回路図である。
【図４】本発明の一実施の形態を示す図で、図４（ａ）は一段目の動作時におけるスイッチ用接点バネの構成を示す平面図、図４（ｂ）は図４（ａ）のｂ−ｂ断面図である。
【図５】本発明の一実施の形態を示す図で、図４（ｂ）のＶ部を拡大して示す断面図である。
【図６】本発明の一実施の形態を示す図で、一段目の動作時の電気的接続状態を模式的に示す回路図である。
【図７】本発明の一実施の形態を示す図で、図７（ａ）は二段目の動作時におけるスイッチ用接点バネの構成を示す平面図、図７（ｂ）は図７（ａ）のｂ−ｂ断面図である。
【図８】本発明の一実施の形態を示す図で、図７（ｂ）のＶＩＩＩ部を拡大して示す断面図である。
【図９】本発明の一実施の形態を示す図で、二段目の動作時の電気的接続状態を模式的に示す回路図である。
【図１０】従来例を示す図で、二段動作スイッチの構成を示す断面図である。
【符号の説明】
【００２２】
１  スイッチ用接点バネ
３  スイッチ用接点バネ本体
５  第１ドーム部
７  第２ドーム部
９  突起(第１接点）
１１  第２接点
２１  プリント基板
２３  第１銅箔パターン
２５  第１銅箔パターン
２７  第２銅箔パターン
２９  第３銅箔パターン
３１  開口部
３３  開口部          
【図１】
2008097844.tif 000003
【図２】
2008097844.tif 000004
【図３】
2008097844.tif 000005
【図４】
2008097844.tif 000006
【図５】
2008097844.tif 000007
【図６】
2008097844.tif 000008
【図７】
2008097844.tif 000009
【図８】
2008097844.tif 000010
【図９】
2008097844.tif 000011
【図１０】
2008097844.tif 000012